(57)【要約】      （修正有）【課題】汚染防止効果が良好であると共に、使用者が持ち歩きやすい点眼用霧化装置を提供する。【解決手段】超音波霧化モジュール２４により点眼用薬液またはケア液を霧化して直接目に使用する点眼用霧化装置１０であって、点眼用霧化装置の内部にある液体容器は、交換可能な容器２０であり、該容器に含まれる液体は、予め充填されているため、使用者は、液体がなくなったら直接新しい瓶に交換することができる。このため、液体更換時に汚染されることや、古い瓶が長時間使用されることで内部に細菌が繁殖して汚染されることを防止することができる。これにより、点眼用霧化装置が発生する霧の清浄度を確保することができる上、この点眼用霧化装置は小型で省電力の霧化モジュールと小体積の電池とを利用するため、持ち歩きやすく使いやすい。【選択図】図２
2012232100.tif 000002
【特許請求の範囲】
【請求項１】
電源スイッチが設けられている本体構造と、
該本体構造に設けられ、該電源スイッチに電気的に接続されている電源供給ユニットと、
該本体構造に設けられ、該電源供給ユニットに電気的に接続されていると共に、該電源供給ユニットの電力供給により始動される少なくとも１つの霧化モジュールと、
該本体構造に設けられる交換可能な容器と、を含み、
該交換可能な容器には、液体が収容されており、該霧化モジュールは、該液体を霧化することを特徴とする点眼用霧化装置。
【請求項２】
該霧化モジュールは、振動プレートを含み、
該霧化モジュールは、超音波の周波数で該振動プレートを振動させることにより、該液体を霧化して放出することを特徴とする請求項１に記載の点眼用霧化装置。
【請求項３】
該振動プレートは、交換可能な振動プレートであることを特徴とする請求項２に記載の点眼用霧化装置。
【請求項４】
該本体構造は、筺体であり、
該筺体には、霧化された該液体を放出する出口とする開口があることを特徴とする請求項１に記載の点眼用霧化装置。
【請求項５】
該電源供給ユニットは、少なくとも１つの充電電池または少なくとも１つの交換可能な電池をさらに含むことを特徴とする請求項１に記載の点眼用霧化装置。
【請求項６】
該本体構造には、該充電電池を充電するように、外部電源に電気的に接続されている電源連結ユニットがさらに設けられていることを特徴とする請求項１に記載の点眼用霧化装置。
【請求項７】
該液体は、点眼薬、洗眼液、生理食塩水などの眼部専用の液体であることを特徴とする請求項１に記載の点眼用霧化装置。
【請求項８】
該交換可能な容器は、プラスチックまたはガラスの使い捨ての材料であることを特徴とする請求項１に記載の点眼用霧化装置。
【請求項９】
該交換可能な容器と該霧化モジュールとに接続されている吸水材をさらに含み、
該吸水材により該液体を誘導して該霧化モジュールに接触させることにより、該霧化モジュールに接触している該液体を振動させ霧化することを特徴とする請求項１に記載の点眼用霧化装置。
【請求項１０】
霧化された該液体の液滴のサイズは、１〜１５μｍであることを特徴とする請求項１に記載の点眼用霧化装置。
【発明の詳細な説明】
【技術分野】
【０００１】
本発明は、医療用としても使用可能な液体霧化装置に関し、特に点眼用の超音波液体霧化装置に関する。
【背景技術】
【０００２】
従来技術は、薬液を振動させ激発させることにより霧状にし、それを直接に目に噴出するという目のケア用品を開示している。しかし、上記目のケア用品内の保存瓶に保存されている点眼薬は、時間が経つと、細菌が繁殖しやすくなる。したがって、従来技術は、上記問題を解決するため、殺菌機能を有する反応室を設け、反応室の内部に紫外線発生器を取り付ける。反応室に流れる霧を紫外線で照射することにより、殺菌の効果を奏する。しかし、紫外線を発生させるための反応室が取り付けられているため、ケア用品の内部に余分なスペースを空けなければならない。このため、ケア用品自体の体積を小さくするのに限度があるので、見た目が悪く、持ち歩きにくいという欠点がある。また、ケア用品は、複雑な設計のため、製造コストが掛かる。
【０００３】
以上より、本発明は、汚染防止効果が良好であると共に、使用者が持ち歩きやすい点眼用霧化装置を提供し、上述した従来技術が考慮しなかった効果を奏することができる。
【発明の概要】
【発明が解決しようとする課題】
【０００４】
従来の目のケア用品が持ち歩きにくい、保存瓶に細菌が繁殖しやすいなどの問題を解決する。
【課題を解決するための手段】
【０００５】
本発明の目的は、交換可能な容器に点眼液または洗浄液が保存される点眼用霧化装置を提供することにある。交換可能な容器に保存することにより、毎回交換する点眼液または洗浄液の清浄度を確保することができ、また同一の容器を繰り返し使うことで細菌が繁殖することを防止することができる。
【０００６】
本発明のもう１つの目的は、構造が簡単である点眼用霧化装置を提供することにある。構造が簡単なため、コストが低く、見た目が洗練されており、使用者にとって持ち歩きやすい。以上に本発明の装置の主な機能を説明したが、本発明は、他の効果も奏することができることについて、さらなる説明を省略する。
【０００７】
本発明は、以下のような点眼用霧化装置の構造を提供する。すなわち、本体構造内に電源供給ユニットと、霧化モジュールと交換可能な容器とが設けられている。その中、本体構造の外部には、電源スイッチボタンが設けられており、交換可能な容器内には、液体が収容されており、液体は霧化モジュールと接触しており、霧化モジュールは、電力供給で振動することにより、液体を霧化し霧を放出する。
本発明の好適な実施例において、上記霧化モジュールは、振動プレートを含み、振動プレートは、液体と接触し、超音波の周波数で振動する。
【０００８】
本発明の好適な実施例において、上記振動プレートは、交換可能な振動プレートである。本発明の好適な実施例において、上記本体構造は、筺体であり、上記筺体には、霧化された液体を放出する出口とする開口がある。
【０００９】
本発明の好適な実施例において、上記電源供給ユニットは、充電電池または交換可能な電池をさらに含む。
【００１０】
本発明の好適な実施例において、上記本体構造の外部には、該充電電池を充電するように、外部電源に電気的に接続されている電源連結ユニットがさらに設けられている。
本発明の好適な実施例において、上記液体は、点眼薬、洗眼液、生理食塩水などの眼部専用の液体である。
本発明の好適な実施例において、上記交換可能な容器は、プラスチックまたはガラスの使い捨ての材料である。
【００１１】
本発明の好適な実施例において、上記交換可能な容器は、吸水材をさらに含み、吸水材により液体を誘導して霧化モジュールに接触させることにより、霧化モジュールに接触している液体を振動させ霧化する。
本発明の好適な実施例において、霧化された上記液体の液滴のサイズは、１〜１５μｍである。
【００１２】
本発明は、交換可能な補充瓶による設計を採用することにより、点眼薬がなくなったら補充瓶を交換することができるため、使用者が自ら補充する手順を避けることで、点眼用霧化装置が発生する霧が汚染される可能性を低くすることができる。したがって、本発明は、消毒装置を取り付けるための空間を省くため、製造コストを省くことができる上、その設計がより簡単でコンパクトになる。
【００１３】
以下、本発明の上記又は他の目的、特徴および効果を理解してもらうため、好適な実施形態と図面を挙げて、詳細に説明する。
【図面の簡単な説明】
【００１４】
【図１】図１は、本発明の第一実施例に係る点眼用霧化装置の外觀を示す立体図である。
【図２】図２は、本発明の第一実施例に係る点眼用霧化装置を示す断面図である。
【図３】図３は、本発明の容器と霧化モジュールとの位置関係を示す概略図である。
【図４】図４は、本発明の容器と、霧化モジュールと、振動プレートとを示す爆発図である。
【図５】図５は、本発明の第一実施例の使用状態を示す概略図である。
【図６】図６は、本発明の第二実施例を示す立体図である。
【図７】図７は、本発明の第二実施例の内部構造を示す概略図である。
【発明を実施するための形態】
【００１５】
図１に示すように、本発明は、点眼用霧化装置１０を開示している。本発明の第一実施例の本体外部構造は、長方形の筺体１２と、筺体１２上にある外蓋１４と、筺体１２上に設けられている２つのボタン１６、１８とを有する。１つのボタンは、点眼用霧化装置の電源スイッチボタン１６であり、もう１つのボタンは、霧の量または噴出周波数を調節する調節ボタン１８である。外蓋１４を開けると、筺体が開口２２を有するのが見える。図２に示すように、この開口は、霧化モジュールが発生した霧を放出するために用いられる。その中、本発明は、超音波振動を利用して点眼薬またはケア液を霧化する。霧化された液滴のサイズは、１５μｍより小さい。実に、本発明は、液滴サイズを３μｍ以下に制御することができ、１μｍさえも実現することができる。このようなサイズの液滴は、使用者の角膜表面上に非常に均一に分散されるため、点眼薬またはケア液の治療効果を最大限に発揮する。
【００１６】
図２に示すように、点眼用霧化装置の内部構造は、容器２０と、霧化モジュール２４と、電源供給ユニット２６とを含む。その中、容器２０としては、交換可能な容器を利用し、その材料としては、使い捨ての材料、例えば：プラスチックまたはガラスを利用する。プラスチック製の交換可能な容器を使用する場合、本発明の点眼用霧化装置は、全体の重量が軽いため、使用者にとってより持ち歩きやすい。一方、ガラス製の交換可能な容器を使用する場合は、新しい容器に交換するかどうかを使用者が決められるだけでなく、容器を取り出して洗うことで繰り返し使う選択肢も使用者に与えられる。容器２０には、眼部専用の点眼薬や、洗眼液、生理食塩水などの專用液体が収容されている。また、霧化モジュール２４内にある振動プレートとして、交換可能な振動プレートを利用する。電源供給ユニット２６内には、通常の電池が２本入っている。または、充電式電池を利用して本発明を実施することも可能である。充電式電池を利用する場合、点眼用霧化装置の筐体上に電源連結ユニットを設けることができる。充電電池を直接充電するように、上記電源連結ユニットは、外部電源に接続されているユニバーサル・シリアル・バス(ＵＳＢ)であってよい。
【００１７】
図３および図４は、さらに容器２０と、霧化モジュール２４と、霧化モジュール内部の振動プレート２４１との相対的な接続関係を示す。交換可能な容器２０の頸部は、霧化モジュール２４の中へ伸びている。霧化モジュール２４の内部には、振動プレート２４１がある。振動プレート２４１としては、交換可能な振動プレートを利用することができる。点眼用霧化装置１０において、電源供給により霧化モジュール２４を始動させ、その内部にある振動プレート２４１は、超音波の周波数で振動し、その振動により容器内部にある液体が激発される。その中、振動プレート２４１を直接液体に接触させるか、または吸水材により液体を誘導して振動プレートに接触させることにより、振動プレートを利用して超音波の周波数で液体が霧になるように激発させる。その中、吸水材３４０は、棉またはポリマーなどの吸水性材料である。
【００１８】
図５は、第一実施例の使用状態を示す概略図である。図５に示すように、本発明の点眼用霧化装置１０は、電源スイッチボタン１６で始動された後、霧を製造する。使用者は、目に霧が入るように点眼用霧化装置１０を目の付近に置くと、液体微粒子は角膜に直接付着する。これにより、目の清潔・殺菌または目の疲れを和らげるなどの効果を奏する。
【００１９】
本発明は、第二実施例に係る点眼用霧化装置３０をさらに開示する。図６および図７に示すように、第二実施例の本体構造は、円筒状であり、その上に電源スイッチボタン４４が設けられている。本体構造は、上蓋３２と主筺体３４とを含む。主筺体３４には、霧化モジュール３６と、電源供給ユニット３８と、容器４２とが設けられている。その中、容器４２は、交換可能な容器であり、吸水材４０により容器４２内部の液体を霧化モジュール３６に誘導する。上記吸水材４０は、交換可能な容器４２と霧化モジュール３６との間に設けられている。その中、液体は、点眼用の点眼薬であり、霧化モジュール３６は、電源供給ユニット３８の電力供給で始動されると、直ちに液体を霧化し放出する。
【００２０】
以上をまとめると、本発明の点眼用霧化装置は、交換可能な容器を利用することを特徴とする。したがって、使用者は、市販の点眼用霧化装置の補充瓶を購入し、毎回点眼用霧化装置内の薬液がなくなったら新しい補充瓶に交換することができる。したがって、通常使用時にも容器内部の液体の清浄度を維持することができる。さらに、本発明は、霧化装置の霧化モジュールに交換可能な的振動プレートを利用することにより、点眼薬が汚染される可能性をさらに低くすることができ、霧化された液体の清浄度を管理することができる。本発明は、交換可能な容器を利用して液体を収容することにより、細菌が繁殖することを防止する効果を奏する。したがって、本発明は、消毒装置を取り付けるためのコストおよび空間を省くことができる上、点眼用霧化装置は、外形がよりコンパクトになるため、使用者にとって持ち歩いたり使用したりするときに便利である。
【００２１】
好適な実施例により本発明を以上のように開示したが、本発明は、上記内容に限定されるものではない。当業者は、本発明の主旨および範囲から逸脱することなく、様々な変更や修飾を行うことが可能である。したがって、本発明の保護範囲は、添付されている以下の特許請求の範囲により定義される。
【符号の説明】
【００２２】
１０  点眼用霧化装置
１２  長方形の筺体
１４  外蓋 
１６  電源スイッチボタン
１８  調節ボタン
２０  容器
２２  開口 
２４  霧化モジュール
２４１  振動プレート
２６  電源供給ユニット
３０  点眼用霧化装置
３２  上蓋
３４  主筺体
３６  霧化モジュール
３８  電源供給ユニット
４０  吸水材
４２  容器 
４４  電源スイッチボタン
【図１】
2012232100.tif 000003
【図２】
2012232100.tif 000004
【図３】
2012232100.tif 000005
【図４】
2012232100.tif 000006
【図５】
2012232100.tif 000007
【図６】
2012232100.tif 000008
【図７】
2012232100.tif 000009